(57)【要約】【課題】太陽電池を固定したブラインドの利点（デザイン性，差し込む光量を調整できること）を生かして、しかも、発電効率が高い太陽電池付ブラインドを提供すること。【解決手段】ブラインドのスラット１０を集光器１、太陽電池を備える発電部２、微細プリズムシート６で構成する。集光器の断面を三角形状とし、底辺１ｃの位置に太陽電池を配置する。頂角を挟む２面のうち、一方の面１ａから入射した光は反対側の面（反射面）１ｂで反射して、太陽電池に入射する。反射面１ｂで屈折して透過した光は微細プリズムシート６によって強く屈折されて、室内に誘導される。【選択図】図３
2013204370.tif 000002
【特許請求の範囲】
【請求項１】
枠と、複数のスラットと、これらスラットのそれぞれを回動可能に枠に接続した複数の角度変更部とを備えて構成されるブラインドにおいて、
前記スラットのそれぞれが、集光器と、発電部と、微細プリズムシートとを備えて構成されており、
前記集光器が、光透過性を有する棒状材料から構成されており、かつ、断面が三角形状またはその頂点近傍を切除した形状を有しており、
前記発電部が太陽電池で構成されており、かつ、前記集光器を切断した場合に現れる断面形状の底辺の位置に配置されており、
前記微細プリズムシートが透明シートの片面に微細プリズムを多数配置して構成されるものであり、かつ、この微細プリズムシートは、前記断面形状の頂角に隣接する面の位置に配置されている、
ことを特徴とする太陽電池付きブラインド。
【請求項２】
前記集光器の断面が三角形状であり、その頂角が１０〜４５度の範囲にあることを特徴とする請求項１に記載の太陽電池付きブラインド。
【請求項３】
前記集光器の断面が三角形の頂点近傍を切除した形状であり、その三角形の頂角が１０〜４５度の範囲にあることを特徴とする請求項１に記載の太陽電池付きブラインド。
【請求項４】
前記微細プリズムの断面が三角形状であり、その頂角が３０〜９０度の範囲にあることを特徴とする請求項１〜３のいずれかに記載の太陽電池付きブラインド。
【請求項５】
前記微細プリズムの屈折率が１．５〜１．６の範囲にあることを特徴とする請求項１〜４のいずれかに記載の太陽電池付きブラインド。
【発明の詳細な説明】
【技術分野】
【０００１】
本発明は太陽電池付きブラインドに関する。
【背景技術】
【０００２】
現在太陽光発電は、共用の電源として屋外における住宅の発電や工業用で用いられる発電の他、携帯電話、時計、電卓の駆動用の発電など、幅広いところに用いられている。
【０００３】
ところで、家屋の窓にはカーテンやブラインド等の遮光のための器具が設けられており、屋内に入る光の量を調整している。この場合、これらの器具で遮られる光は、例えば、これらの器具で反射されている。もしくはこれらの器具で吸収されている。反射される場合も、吸収される場合も、その光のエネルギーは熱として廃棄されており、再利用されることがない。
【０００４】
従って、これら遮光のための器具に太陽電池を設けることができれば、屋内に入る光を調整しつつ、遮られる光を発電のためのエネルギー源として有効に活用することが可能となる。
【０００５】
例えば、窓の一部に太陽電池を固定すれば、外光を遮り、しかも、その光を利用して発電することが可能である。しかし、この場合には、太陽電池は窓そのものに固定されており、これを移動することができない。したがって、この窓を透して室内に差し込む外光の量を調整することができない。例えば、春夏秋冬に応じて差し込む日光の量を調整したいという要望が現実に存在するのに、この要望に応えることができないのである。また、その一部に太陽電池が固定された窓は、一般に、デザイン性に乏しく、見栄えの劣るものである。
【０００６】
ところで、太陽電池を固定したブラインドも提案されている（特許文献１参照）。この提案によれば、ブラインドは複数のスラットを有しており、これら複数のスラットは回動自在に固定されている。また、これら複数のスラットのそれぞれには太陽電池が固定されている。そして、この提案によれば、複数の前記スラットを回動させることにより、スラットとスラットとの間の隙間の向きと幅を調整することができる。外光はスラットとスラットとの間の隙間から室内に差し込むから、スラットを回動してその隙間を調整することにより、室内に差し込む光量を調整することが可能である。このため、季節に応じて、あるいは、天候や時刻に応じてスラットを回動することにより、差し込む日光の量を調整することができる。また、スラットを回動することにより窓の外観が変化するから、デザイン性の点でも優れている。
【先行技術文献】
【特許文献】
【０００７】
【特許文献１】特開２００４−２７６６１号公報
【発明の概要】
【発明が解決しようとする課題】
【０００８】
しかしながら、特許文献１に記載のブラインドにおいては、スラットを回動して室内に差し込む光を少なくすると、上段のスラットの影が下段のスラットにかかることがある。この場合には、下段のスラットにある太陽電池モジュールに部分的に影ができるため、効率の良い発電ができないという問題があった。
【０００９】
そこで、本発明は、太陽電池を固定したブラインドの利点を生かして、しかも、発電効率が高い太陽電池付ブラインドを提供することである。
【課題を解決するための手段】
【００１０】
上記の課題を達成するための請求項１に記載の発明は、枠と、複数のスラットと、これらスラットのそれぞれを回動可能に枠に接続した複数の角度変更部とを備えて構成されるブラインドにおいて、
前記スラットのそれぞれが、集光器と、発電部と、微細プリズムシートとを備えて構成されており、
前記集光器が、光透過性を有する棒状材料から構成されており、かつ、断面が三角形状またはその頂点近傍を切除した形状を有しており、
前記発電部が太陽電池で構成されており、かつ、前記集光器を切断した場合に現れる断面形状の底辺の位置に配置されており、
前記微細プリズムシートが透明シートの片面に微細プリズムを多数配置して構成されるものであり、かつ、この微細プリズムシートは、前記断面形状の頂角に隣接する面の位置に配置されている、
ことを特徴とする太陽電池付きブラインドである。
【００１１】
請求項２に記載の発明は、前記集光器の断面が三角形状であり、その頂角が１０〜４５度の範囲にあることを特徴とする請求項１に記載の太陽電池付きブラインドである。
【００１２】
請求項３に記載の発明は、前記集光器の断面が三角形の頂点近傍を切除した形状であり、その三角形の頂角が１０〜４５度の範囲にあることを特徴とする請求項１に記載の太陽電池付きブラインドである。
【００１３】
請求項４に記載の発明は、前記微細プリズムの断面が三角形状であり、その頂角が３０〜９０度の範囲にあることを特徴とする請求項１〜３のいずれかに記載の太陽電池付きブラインドである。
【００１４】
請求項５に記載の発明は、前記微細プリズムの屈折率が１．５〜１．６の範囲にあることを特徴とする請求項１〜４のいずれかに記載の太陽電池付きブラインドである。
【発明の効果】
【００１５】
本発明に係るブラインドは、スラットに集光器を取りつけて構成されるものである。この集光器はその断面形状が三角形状を有している。以下の説明から分かるように、この三角形の頂点近傍は技術的意義が乏しいから、三角形状から頂点近傍を切除した形状であってもよい。このような断面形状は、一般に、台形である。
【００１６】
ところで、この集光器は、前記頂角を挟む２つの面のうち、「微細プリズムシートを配置していない面」を入射面として使用する。例えば、この入射面を太陽に向けて使用する。なお、説明の便宜上、以下、この面を集光器の「入射面」と呼ぶ。また、同様に説明の便宜の点から、前記頂角を挟む２つの面のうち、「微細プリズムシートを配置した面」を集光器の「反射面」と呼び、太陽電池が配置された面を「射出面」と呼ぶ。
【００１７】
入射面からスラットの集光器に入射した光は、前記他方の面（反射面）に到達し、この反射面で全反射する。スラットの角度によってはその一部の光が屈折して透過する場合もあるが、この透過光は後述するように、微細プリズムシートによって屈折され、室内に誘導される。このため、スラットの集光器に入射した光が無駄に廃棄されることがない。
【００１８】
前記反射面で反射した光は、集光器の射出面で屈折して透過する。射出面には太陽電池
が配置されているから、この光は太陽電池に入射する。こうして入射した光により、太陽電池で発電することができる。なお、前記反射面で反射した光のうち、一部の光は、前記入射面で反射した後、射出面で屈折・透過して太陽電池に入射する。
【００１９】
前述のように、スラットの角度によっては一部の光が反射面を屈折して透過する場合もあるが、反射面を透過した光は、そのまま、微細プリズムシートに入射する。そして、この微細プリズムシートの微細プリズムによって屈折され、室内に誘導される。この微細プリズムシートを透過する光は、例えば、天井方向に強く屈折される。あるいは、微細プリズムシートを透過する光は、床方向に強く屈折される。
【００２０】
なお、室内からこの微細プリズムシートに入射する光も上方向または下方向に強く屈折されるため、室内の様子を外部から観察することは困難である。
【００２１】
以上のように、本発明の太陽電池付きブラインドにおいては、集光器に入射した光は、発電に利用されるか、または室内に誘導される。したがって、無駄に廃棄される光がなく、また、集光器による影もできないので、効率的に発電することができる。
【００２２】
なお、本発明に係る角度変更部は、スラットのそれぞれを回動可能に枠に接続している。このため、角度変更部を回動すると、スラットも回転して集光器の入射面の向きを調整することができる。また、これに伴って、スラットとスラットとの間の隙間の向きと幅を調整することが可能である。このため、例えば、季節変動や時刻に応じて角度変更部を回動させ、スラットとスラットとの間の隙間から室内に差し込む光の量を調整することができる。また、本発明のスラットは、主要な部品として透明な集光器と透明な微細プリズムシートを使用しているから、デザイン的にも優れている。
【図面の簡単な説明】
【００２３】
【図１】本発明の太陽電池付ブラインドの斜視図
【図２】図２（ａ）は本発明の太陽電池付ブラインドの正面図、図２（ｂ）は本発明の太陽電池付ブラインドのスラットの側面図
【図３】発電する機能を説明するための説明図
【図４】図４（ａ）は従来の太陽電池付きブラインドの説明図、図４（ｂ）は従来の太陽電池付きブラインドと対比して本発明の太陽電池付きブラインドを説明する説明図
【図５】図５（ａ）は微細プリズムに入射した光の挙動を説明するための説明図。図５（ｂ）は微細プリズムの側面図
【図６】図６（ａ）は断面が三角形状の集光器１の正面図及び側面図。図６（ｂ）は面が三角形の頂点近傍を切除した形状の集光器１の正面図及び側面図
【図７】夏至、冬至、春分、秋分の南中時刻に微細プリズムに入射した光線の挙動を説明するための説明図
【発明を実施するための形態】
【００２４】
本発明のブラインドは、図１の斜視図、図２（ａ）の正面図に示すように、枠５と、複数のスラット１０と、複数の角度変更部３とを主要な構成要素として構成されたものである。図１中、枠５は２本の剛性材料で構成されており、複数の前記角度変更部３はこの２本の枠５に回動自在に掛け渡されている。そして、スラット１０はこの角度変更部に固定されており、このため、角度変更部３を回動すると、スラット１０も回転する。
【００２５】
本発明の特徴的構成はスラット１０の構造にある。図２（ｂ）はこの特徴的構成を説明するためのもので、スラット１０の側面図である。なお、図１や図２（ａ）から分かるように、本発明に係るスラット１０は細長い棒状の形状を有しているから、このスラット１０を切断した場合にも、その切断面は図２（ｂ）と同様である。
【００２６】
図２（ｂ）から分かるように、スラット１０は、集光器１と、発電部２と、微細プリズムシート６とを備えて構成されている。集光器１の断面形状は三角形状を有しており、比較的角度の小さい頂点を挟む２辺のうち、一方の辺１ｂの位置に微細プリズムシート６が配置されている。また、底辺１ｃの位置には発電部２が配置されている。この発電部２は太陽電池を主要な構成要素とするものであり、配線４で結線されている。なお、太陽電池は集光器１を向いて配置されており、このため、集光器１を通って入射した光によって発電する。なお、図示の集光器１は三角形状の断面形状を有しているが、前述のとおり、この三角形の頂点近傍は技術的意義が乏しいから、三角形状から頂点近傍を切除した形状（例えば、台形状）であってもよい。
【００２７】
次に、図３は、この発電部２によって発電する機能を説明するための説明図である。
【００２８】
すなわち、本発明のブラインドは、集光器１は、前記頂角を挟む２つの面のうち、「微細プリズムシート６を配置していない面」を入射面１ａとして使用する。そして、入射面１ａから入射した光は、その一部が、前記頂角を挟む２つの面のうち、微細プリズムシート６を配置した面（反射面）１ｂで反射される。こうして反射面１ｂで反射された光は、図３に示すように、そのまま、集光器底面（射出面）１ｃを透過する。また、反射面１ｂで反射された光の一部は入射面１ａで反射した後、射出面１ｃを透過する。射出面１ｃには太陽電池が配置されているから、これらの光は太陽電池に入射され、太陽電池が発電する。なお、起電力は、配線４を通じて外部に供給される。
【００２９】
図４は、従来の太陽電池付きブラインドと対比して、本発明の太陽電池付きブラインドの発電効率を説明するための説明図である。すなわち、図４（ａ）は従来の太陽電池付きブラインドを示すもので、隣接するスラット１０に遮られて、太陽電池の一部に光が到達していない。丸印は影の部分を示している。これに対して、図４（ｂ）は本発明のブラインドを示すもので、外光を反射面１ｂで反射した後、射出面１ｃの太陽電池に入射させているから、影になる部位がない。なお、丸印は太陽電池の位置を示している。
【００３０】
次に、前記反射面１ｂに入射した光のうち、一部の光は、この反射面１ｂで屈折して透過する。図５（ａ）はこの透過光の挙動を説明するための説明図である。
【００３１】
すなわち、反射面１ｂで屈折して透過した光は、微細プリズムシート６に入射し、その表面の微細プリズム６１によって屈折して透過する。その屈折の方向は、微細プリズム６１の屈折率および頂角β（図５（ｂ）参照）によって異なる。
【００３２】
すなわち、反射面１ｂで屈折して透過した光を上方向または下方向に強く屈折させるため、微細プリズム６１の断面形状を三角形状として、しかも、微細プリズム６１の屈折率を１．５以上とすることが望ましい。後述するアクリル系樹脂やメタクリル系樹脂は屈折率が１．５〜１．６であり、この程度の屈折率で十分である。
【００３３】
また、微細プリズム６１の頂角βが９０度より大きい場合には、反射面１ｂで屈折して透過した光が微細プリズムにより強く屈折されない。また、３０度より小さい場合には、プリズムの形状を作成すること自体が困難である。このため、微細プリズム６１は、その頂角βが３０〜９０度の範囲にあることが望ましい。
【００３４】
次に、本発明のブラインドを構成する構成部品について、各別に説明し、続いて本発明のブラインドの使用方法をする。
【００３５】
＜枠５＞
枠５については、スラット１０を保持できるだけの強度を持っていれば良い。例えば、樹脂、金属などである。なお、枠５の内部には配線４を通すことがのぞましい。この場合には、配線４が表に出ないから、配線４によってブラインドのデザインが損なわれることがない。また、配線に触れて傷付けるおそれもない。
【００３６】
＜角度変更部３＞
角度変更部３としては、枠５に掛け渡してスラット１０を保持し、かつ、その角度を変更させるために設けられる。材質については、スラット１０を保持できるだけの強度を持っていれば良い。材料としては樹脂、金属などが使用できる。形状については、枠５に掛け渡すことができる細長いものであればよく、例えば、円柱や多角柱を用いることができる。その長さは、窓幅と同程度であることが望ましい。この角度変更部３に、同程度の長さのスラット１０を取り付ければ、窓の横幅全体で受光して発電できるからである。一般的な家屋の窓の場合では１ｍ程度である。なお、その回動できる角度範囲は、後述するように、日本では４６度以上あることが望ましい。
【００３７】
＜配線４＞
配線４については、導電性のある材料であれば良く、市販の導線を用いることができる。
【００３８】
＜集光器＞
集光器１は光透過性のある透明な三角柱であれば良い。その材質としては、ポリエチレンテレフタレート樹脂やポリエチレンナフタレート等のポリエステル系樹脂、ポリプロピレン系樹脂、ポリメチルペンテン系樹脂、環状ポリオレフィン系樹脂、フッ素系樹脂、ポリスチレン系樹脂、アクリロニトリル−（ポリ）スチレン共重合体（ＡＳ樹脂）、アクリロニトリル−ブタジエン−スチレン共重合体（ＡＢＳ樹脂）、ポリ塩化ビニル系樹脂、ポリアクリル系樹脂、ポリメタクリル系樹脂、ポリカーボネート系樹脂、ポリアミド系樹脂、ポリイミド系樹脂、ポリアミドイミド系樹脂、ポリアリールフタレート系樹脂、シリコーン系樹脂、ポリスルホン系樹脂、ポリフェニレンスルフィド系樹脂、ポリエーテルスルホン系樹脂、リエチレンナフタレート系樹脂、ポリエーテルイミド系樹脂、エポキシン系樹脂、ポリウレタン系樹脂、アセタール系樹脂、セルロース系樹脂などの公知の材料を用いることができる。中でも加工性及び透明性が高い点でポリアクリル系樹脂やポリメタクリル系樹脂が望ましい。
【００３９】
前述のように、集光器１の形状は、断面形状が三角形又は三角形の頂点近傍を切除した形状の棒状である。集光器１の長さＬ（図６参照）は、前記角度変更部３に長さと同程度であることが望ましい。可能な限り大面積の太陽電池を搭載して、その起電力を大きくするためである。
【００４０】
ところで、集光器１の断面が三角形状の場合、その頂角αが１０〜４５度の範囲にあることが望ましい。頂角αが１０°以下の場合では、集光器の射出面が細長くなるために太陽電池セルを貼り付けることが難しくなる。また、集光器内部で効果的に反射させるために必要な光の入射角度が大きくなってしまい、集光能力が落ちてしまう。
【００４１】
図６（ａ）に示すように、集光器１の断面が直角三角形状の場合、この三角形を構成する三辺のうち、入射面に対応する辺の長さをａ、射出面に対応する辺の長さをｃとするとき、頂角αを１０〜４５度の範囲とするためには、ｃ／ａ＝０．１７〜１の間の値をとればよい。なお、集光器１の長さＬと入射面に対応する辺の長さをａとの比率は、例えば、ａ／Ｌ＝１／４である。
【００４２】
次に、集光器１の断面が三角形の頂点近傍を切除した形状である場合には、仮想的な三
角形の頂角αを１０〜４５度の範囲とすればよい（図６（ｂ）参照）。そして、このように集光器１の断面が三角形の頂点近傍を切除した形状である場合、集光器１の断面を構成する各辺のうち、入射面に対応する辺の長さをａ、射出面に対応する辺の長さをｃとするとき、ｃ／ａが１より大きい値であっても、前記頂角αを１０〜４５度の範囲とすることができる。しかし、集光器の入射面の面積より太陽電池セル面積を小さくするため、この場合にも、ｃ／ａ＝０．１７〜１の間の値をとることが望ましい。なお、集光器１の長さＬと入射面に対応する辺の長さａとの比率は、ａ／Ｌ＝１／４である。
【００４３】
＜発電部＞
発電部２としては、公知の太陽電池モジュールを用いることができる。太陽電池モジュールは、太陽電池セルに配線を施した上、樹脂で封止したものである。
【００４４】
樹脂としては、例えば、エポキシ樹脂が例示できる。
【００４５】
また、太陽電池セルとしては、例えば、結晶シリコン型太陽電池、非結晶シリコン型太陽電池、球状シリコン型太陽電池、化合物型太陽電池、ＣＩＧＳ型太陽電池、色素増感型、有機薄膜型太陽電池が使用可能である。中でも、発電効率を高めるため、結晶シリコン型太陽電池や化合物方太陽電池を用いることが望ましい。
【００４６】
そして、粘着剤を介して集光器１に太陽電池モジュールを貼り付けすることで、発電部２と集光器１を一体化することができる。
【００４７】
＜微細プリズムシート６＞
微細プリズムシート６は、その基材となる透明シートと、微細プリズム６１とで構成されている。基材となる透明シートは光透過率の高い樹脂材料で構成すればよい。光透過率の高い樹脂としては、例えば、アクリル系樹脂、メタクリル系樹脂が例示できる。
【００４８】
なお、前述のように、微細プリズム６１の屈折率が１．５〜１．６、頂角βが３０〜９０度の場合には、反射面１ｂで屈折して透過した光を上方向または下方向に強く屈折させることができる。この場合には、室内から微細プリズムシート６に入射する光も上方向または下方向に強く屈折させるため、室内の様子を室外から観察することが困難となる。
【００４９】
なお、微細プリズム６１のピッチが大きい場合には、微細プリズム作成のために材料を多く使うこととなり、コストが高くなってしまう。また、ピッチが小さい場合には透過光が回折して虹状に見えることになる。従って、少ない材料で適切に屈折させるため、微細プリズム６１のピッチは１０μｍ以上２００μｍ以下が望ましい。
【００５０】
＜本発明のブラインドの使用方法＞
本発明のブラインドは、発電効率を高めるため、太陽光の入射角が４５度程度の角度になるように、スラット１０を回動させて使用することが望ましい。太陽の高度は季節や時刻に応じて異なるため、常に入射角４５度を維持することは困難であるから、それぞれの季節に応じて、南中する時刻に太陽光の入射角が４５度となるように回動させて使用することが望ましい（図７参照）。
【００５１】
ところで、日本はおよそ緯度３５度の地点にある。そこで、緯度３５度の場所では、冬至の南中高度が３２度、春分・秋分の南中高度５５度、夏至の南中高度は７８度となるので、角度変更部３の回動によって変更できる角度は、夏至の南中高度と冬至の南中高度との差、すなわち、４６度以上あることが望ましい。
【実施例】
【００５２】
以下に実施例を示す。
【００５３】
＜微細プリズム６１の頂角βに関するミュレーション＞
ブラインド１００の反射面側に配置させる微細プリズムシート６の微細プリズム６１についてシミュレーションによる検討を行なった。ソフトはトレースプロ（Ｌａｍｂｄａ  Ｒｅｓｅｒｃｈ社製）を用い、モデリングを行なった。集光器１の射出面１ｃと入射面１ａとの面積比ｃ／ａ＝１／４とし、屈折率は集光器１、微細プリズムシート６については１．５とした。この条件において、微細プリズム６１の頂角βを変更させたときに入射させた光がどのように進行するかについて計算した。
【００５４】
すなわち、集光器１に入射し、反射面に屈折して透過した光のうち、一番強度の強い光線の進行方向と、前記入射光線の進行方向との屈折角度を計算した（図７参照）。なお、反射面を透過した光が上方に進行した場合を＋方向、下方に出る場合を−方向とした。
【００５５】
シミュレーション結果を表１に示す。この結果より、微細プリズム６１の頂角βが１２０度においては、夏至に屈折角度が１０度以下のことがあった。この場合には、室外からの光が強く屈折されることなく、そのまま室内に透過することになる。逆に、室内からの光が室外に透過することになるから、室内の様子が室外から見えてしまう結果となる。微細プリズム６１の頂角βが９０度の場合には屈折角度が１５度以上であり、ｔａｎ（１５度）≒０．２７なので、室外からの光が強く屈折される。また、室内からの光も強く屈折されるため、室外から室内を見ても、床が見えるに過ぎない。例えば、ブラインドが床から１ｍの高さにある場合には、窓から４ｍ弱の距離の床が見えるに過ぎない。さらに、図７に示すように、微細プリズム６１によって室内からの上下２箇所からの光が混ざり合うため、さらに内部が見えづらくなる。従って、ブラインドとしての機能を果たすことがシミュレーションにより確かめられた。
【００５６】
【表１】
2013204370.tif 000003
＜実施例１＞
まず、三角柱状のアクリル系樹脂（屈折率１．５）を用意した。なお、寸法（図７参照）はＬが６０ｃｍ、ａが４ｃｍ、ｃが１ｃｍのものを用いた。なお、このときの三角柱の断面形状を構成する三角形の頂角αは約１４度であった。また、入射面１ａと射出面１ｃとの角度は９０度、反射面１ｂと射出面１ｃとの角度は約７６度であった。
【００５７】
次に、透明シートを基材として、この基材の片面に、多数の微細プリズム６１を配列させて微細プリズムシート６を作成した。基材および微細プリズム６１のどちらも、屈折率１．５のアクリル系樹脂である。また、微細プリズム６１の頂角は６０度である。また、微細プリズム６１のピッチ５０μｍであった。
【００５８】
そして、前記集光器１の反射面１ｂに対して、この微細プリズムシート６を貼り付けした。なお、集光器１の反射面１ｂと微細プリズム６１の間に隙間を設けるため、０．１ｍｍの厚みの短冊状のプラスチック板を、スラットの短辺方向に沿って、間隔をあけて配置させた。
【００５９】
別に、発電部として結晶型太陽電池セルを１ｃｍ×８ｃｍの大きさにカットしたものを複数用意し、これらを直列接続させた後、エポキシ樹脂で封止させ、これを発電部のモジュールとし、集光器１の射出面１ｃに貼り合わせた。
【００６０】
次いで、これらモジュールを一体化させたものに対して角度変更部３と配線４を取り付けた後、これを枠５に取り付けて太陽電池付ブラインドとした。
【００６１】
＜実施例２＞
まず、断面が三角形の頂点近傍を切除した形状（台形形状）のアクリル系樹脂を用意した。なお、寸法（図６（ｂ）参照）はＬが６５ｃｍ、ａが４ｃｍ、ｃが２ｃｍのものを用いた。なお、頂点近傍を切除する前の仮想的な三角形の頂角（図６（ｂ）参照）は１４度であった。
【００６２】
後の工程については実施例１と同様にして太陽電池付ブラインドを作成した。
【符号の説明】
【００６３】
１        集光器
１ａ      入射面
１ｂ      反射面
１ｃ      射出面
２        発電部
３        角度変更部
４        配線
５        枠
６        微細プリズムシート
６１      微細プリズム
１０      スラット
１００    太陽電池付ブラインド
【図６】
2013204370.tif 000004
【図１】
2013204370.tif 000005
【図２】
2013204370.tif 000006
【図３】
2013204370.tif 000007
【図４】
2013204370.tif 000008
【図５】
2013204370.tif 000009
【図７】
2013204370.tif 000010